(57)【要約】      （修正有）【課題】着用時に快適性を損なうことのない抗電磁波健康下着を提供する。【解決手段】下着が、下着本体１１及び該下着本体と接続するゴムバンド１２，１３からなり、さらに該下着本体が内層１１１及び該内層の外側に結合する外層１１２からなり、そのうち、該下着本体の内層が綿糸、天然繊維又は人工繊維の編み込みからなり、該外層は、綿糸、天然繊維又は人工繊維の中の一つと含銀繊維又は含ステンレス繊維との編み込みからなることによって、抗電磁波効果を備える。抗電磁波効果により下着装着者の人体神経、細胞、精子、卵子及び胎児を保護する。【選択図】図１
0003157178.tif 000002
【実用新案登録請求の範囲】
【請求項１】
抗電磁波健康下着であって、該下着が、下着本体及び該下着本体と接続するゴムバンドからなり、
該下着本体が内層及び該内層の外側に結合する外層からなり、そのうち、該下着本体の内層が綿糸、天然繊維又は人工繊維の編み込みからなり、
該外層は、綿糸、天然繊維又は人工繊維の中の一つと含銀繊維又は含ステンレス繊維との編み込みからなることを特徴とする抗電磁波健康下着。
【請求項２】
前記下着本体の内層は、綿糸及び天然繊維、綿糸及び人工繊維、天然繊維及び人工繊維又は綿糸、又は、天然繊維及び人工繊維のいずれかの編み込みからなる請求項１記載の抗電磁波健康下着。
【請求項３】
前記下着本体の外層は、
綿糸、天然繊維と銀繊維又は含ステンレス繊維との編み込み、
又は綿糸、人工繊維と含銀繊維又は含ステンレス繊維との編み込み、
又は天然繊維、人工繊維と含銀繊維又は含ステンレス繊維との編み込み、
のいずれかからなる請求項１記載の抗電磁波健康下着。
【請求項４】
前記の各含銀繊維は、綿糸と銀繊維の撚り糸、天然繊維と銀繊維の撚り糸又は人工繊維との銀繊維の撚り糸であり、且つそれらの組成は、該各含銀繊維は、９０％〜５０％の綿糸及び１０〜５０％の銀繊維の撚り糸、又は９０％〜５０％の天然繊維及び１０〜５０％の銀繊維の撚り糸、又は９０％〜５０％の人工繊維及び１０〜５０％の銀繊維の撚り糸である請求項１記載の抗電磁波健康下着。
【請求項５】
前記の各含ステンレス繊維は、綿糸及びステンレス繊維の撚り糸、天然繊維及びステンレス繊維の撚り糸、又は人工繊維及び銀繊維の撚り糸であり、且つそれらの組成は、該各含ステンレス繊維は、９０％〜５０％の綿糸及び１０〜５０％のステンレス繊維の撚り糸、又は９０％〜５０％の天然繊維及び１０〜５０％のステンレス繊維の撚り糸、又は９０％〜５０％の人工繊維及び１０〜５０％のステンレス繊維の撚り糸である請求項１記載の抗電磁波健康下着。
【考案の詳細な説明】
【技術分野】
【０００１】
本考案は、抗電磁波健康下着に関し、下着本体の外層が、綿糸、天然繊維又は人工繊維の中の一つ及び含銀繊維又は含ステンレス繊維の編み込みからなり、抗電磁波効果を有し、それによって使用者の人体神経、細胞、精子、卵子及び胎児を保護でき、人体の健康に有益である抗電磁波健康下着に関する。
【背景技術】
【０００２】
日常生活において、例えば、コンピュータ、携帯電話、家庭用電気製品、コピー機等の電子製品の使用は、日増しに頻繁になり、職場において接触する電子設備又は関連製品は、何れも知らないうちに電磁波を発生し、長時間、電磁波に暴露又は接触する環境において、人体の健康に対して影響を及ぼし、例えば、心血管、生殖系統、遺伝子、免疫系統、内分泌、血液循環、脳神経等に対して障害を招く可能性があり、更には、腫瘍等の多種の病変を招く恐れがある。
【０００３】
続いて、従来の技術では、例えば、衣類の布料を被覆、含浸することによって導電性を与えるか布料に直接導電性材料を塗布することで、抗電磁波機能を相対して形成するが、前記の布料は、厚く重いだけでなく、着心地が悪く、更には、数回の洗濯で部分的な脱落を招く可能性があり、抗電磁波作業を確実に達成することができない。
【０００４】
更に、粘着剤を用いて金属地のガーゼに粘着した布料は、抗電磁波機能を有するが、人体と接触する接触感が快適でなく、且つ同様に複数回の洗濯で抗電磁波作用が低下し易い。
【０００５】
また、同一出願人の台湾新型第Ｍ２４０８２１号「下着の改良構造」専利案は、一般の男性の下着を付ける時の生殖器官の締め付ける感覚が快適でないという欠陥を改善し、着心地が快適な下着を提供しており、本考案者は、抗電磁機能を提供する下着を前提とし、装着時の快適性に影響を及ぼさないよう考慮して考案設計を加えるものである。
【先行技術文献】
【特許文献】
【０００６】
【特許文献１】特開２００４−１８１２５１号公報
【考案の概要】
【考案が解決しようとする課題】
【０００７】
本考案の目的は、下着本体の外層の含銀繊維により電磁波効果を有することができ、下着装着者の人体神経、細胞、精子、卵子及び胎児を保護する効果を相対して有し、且つ人体の健康に有的である抗電磁波健康下着を提供することにある。
【０００８】
本考案の次の目的は、下着本体の内層が綿糸、天然繊維又は人工繊維の編み込みからなるので、使用者が装着時、良好な触感及び装着の快適感を兼ね備えることができる抗電磁波健康下着を提供することにある。
【課題を解決するための手段】
【０００９】
本考案の抗電磁波健康下着は、該下着が、下着本体及び該下着本体と接続するゴムバンドからなり、
該下着本体が内層及び該内層の外側に結合する外層を備え、該下着本体の内層が綿糸、天然繊維又は人工繊維の編み込みからなり、そのうち、該外層は、綿糸、天然繊維又は人工繊維の中の一つ及び含銀繊維又は含ステンレス繊維の編み込みからなることを特徴とする。
【考案の効果】
【００１０】
上記のように、本考案は、以下の増進効果を帰納的に有する。
１．下着本体１１の外層１１２の含銀繊維又は含ステンレス繊維により抗電磁波効果    を有し、下着装着者の人体神経、細胞、精子、卵子及び胎児を保護する効果を相    対して有し、且つ人体の健康に有益である。
２．下着本体１１の内層１１１は、綿糸、天然繊維又は人工繊維の編み込みからなる    ので、使用者が着用時に良好な触感及び着心地の快適感を備えることができる。    
【図面の簡単な説明】
【００１１】
【図１】本考案の実施例の立体外観図である。
【図２】本考案の実施例の部分断面拡大説明図である。
【考案を実施するための形態】
【００１２】
図１〜図２に示すように、本考案の抗電磁波健康下着は、該下着１が、下着本体１１及び該下着本体１１と接続するゴムバンド１２，１３を備え、該下着本体１１が内層１１１及び該内層１１１の外側に結合する外層１１２を備え、そのうち、該下着本体１１の内層１１１が綿糸、天然繊維又は人工繊維の編み込みからなり、該外層１１２は、綿糸、天然繊維又は人工繊維の中の一つと含銀繊維又は含ステンレス繊維の編み込みからなることを特徴とする。
【００１３】
更に、前記下着本体１１の内層１１１は、綿糸及び天然繊維、綿糸及び人工繊維、天然繊維及び人工繊維又は綿糸、天然繊維及び人工繊維の編み込みからなる。
【００１４】
また、前記下着本体１１の外層１１２は、綿糸、天然繊維及び含銀繊維又は含ステンレス繊維の編み込みからなり、
綿糸、人工繊維及び含銀繊維又は含ステンレス繊維の編み込みでもよく、
天然繊維、人工繊維及び含銀繊維又は含ステンレス繊維の編み込みでもよい。
【００１５】
また、前記の各含銀繊維は、綿糸及び銀繊維の撚り糸、天然繊維及び銀繊維の撚り糸又は人工繊維及び銀繊維の撚り糸であり、且つそれらの組成は、該各含銀繊維は、９０％〜５０％の綿糸及び１０〜５０％の銀繊維の撚り糸、又は９０％〜５０％の天然繊維及び１０〜５０％の銀繊維の撚り糸、又は９０％〜５０％の人工繊維及び１０〜５０％の銀繊維の撚り糸である。
【００１６】
更に、前記の各含ステンレス繊維は、綿糸及びステンレス繊維の撚り糸、天然繊維及びステンレス繊維の撚り糸又は人工繊維及びステンレス繊維の撚り糸であり、且つそれらの組成は、該各含ステンレス繊維は、９０％〜５０％の綿糸及び１０〜５０％のステンレス繊維の撚り糸、又は９０％〜５０％の天然繊維及び１０〜５０％のステンレス繊維の撚り糸、又は９０％〜５０％の人工繊維及び１０〜５０％のステンレス繊維の撚り糸である。
【符号の説明】
【００１７】
１  下着
１１  下着本体
１１１  内層
１１２  外層
１２，１３  ゴムバンド
【図１】
0003157178.tif 000003
【図２】
0003157178.tif 000004